(57)【要約】【課題】  電源部の電池の電圧が、たとえディスクを回転させるモータが安定に回らない状態にまで低下したとしても、モータの回転を安定可能にしてさらに長く動作可能なディスク装置を提供する。【解決手段】  ディスク１をスピンドルモータ５にて回転させて記録された圧縮データを再生し、該圧縮データをＲＡＭ１３に間欠的に書き込みながら、該ＲＡＭ１３より圧縮データを読み出し、伸張した後に出力し、かつ、ＲＡＭ１３への間欠的な書き込みの中断期間に上記モータ５の回転を停止させる構成において、電源部８の電池３２の電圧が、所定電圧値以下になると、上記モータ５を駆動するピック／モータドライブ回路部６への電源部８からの電力供給経路を、ダイレクトに供給する経路から、電池３２の出力電圧を昇圧させる電圧昇圧回路９を経由する経路へと切り替える電圧昇圧部３３が設けられている。【選択図】  図１
2006172576.tif 000002
【特許請求の範囲】
【請求項１】
ディスクをモータにて回転させて該ディスクに記録された圧縮データを再生し、再生された圧縮データをメモリに間欠的に書き込みながら、該メモリより書き込んだ圧縮データを読み出し、読み出した圧縮データを伸張した後に出力し、かつ、停止手段にて上記メモリへの間欠的な書き込みの中断期間に少なくとも上記モータの回転が停止されるディスク装置において、
上記モータを駆動するための電力源である電池からの出力電圧が所定値以下であるとき、上記電池からの出力電圧を昇圧させる電圧昇圧手段を備えることを特徴とするディスク装置。
【請求項２】
ディスクをモータにて回転させて該ディスクに記録された圧縮データを再生し、再生された圧縮データをメモリに間欠的に書き込みながら、該メモリより書き込んだ圧縮データを読み出し、読み出した圧縮データを伸張した後に出力し、かつ、停止手段にて上記メモリへの間欠的な書き込みの中断期間に少なくとも上記モータの回転が停止されるディスク装置において、
上記ディスクに記録された圧縮データを再生するにあたり、上記モータを通常よりも高速に回転させる高速回転モードを有すると共に、
上記モータを駆動するための電力源である電池からの出力電圧が所定値以下であるとき、上記電池からの出力電圧を昇圧させる電圧昇圧手段を備え、
上記電圧昇圧手段にて出力電圧を昇圧させることにより、上記電池からの出力電圧が所定値以下であっても上記高速回転モードが継続されることを特徴とするディスク装置。
【請求項３】
外部から入力される信号を一度メモリに連続的に書き込み、その後そのデータを圧縮処理し圧縮データとしてメモリに書き込みながら、該メモリより書き込んだ圧縮データを間欠的に読み出し、ディスクをモータにて回転させて該ディスクに記録するディスク装置において、
上記ディスクへの間欠的な記録の中断期間に、少なくとも上記モータの回転を停止させる停止手段と、
上記モータを駆動するための電力源である電池からの出力電圧が所定値以下であるとき、上記電池からの出力電圧を昇圧させる電圧昇圧手段を備えることを特徴とするディスク装置。
【請求項４】
外部から入力される信号を一度メモリに連続的に書き込み、その後そのデータを圧縮処理し圧縮データとしてメモリに書き込みながら、該メモリより書き込んだ圧縮データを間欠的に読み出し、ディスクをモータにて回転させて該ディスクに記録するディスク装置において、
上記ディスクに記録された圧縮データを再生するにあたり、上記モータを通常よりも高速に回転させる高速回転モードを有すると共に、
上記モータを駆動するための電力源である電池からの出力電圧が所定値以下であるとき、上記電池からの出力電圧を昇圧させる電圧昇圧手段を備え、
上記電圧昇圧手段にて出力電圧を昇圧させることにより、上記電池からの出力電圧が所定値以下であっても上記高速回転モードが継続されることを特徴とするディスク装置。
【発明の詳細な説明】
【技術分野】
【０００１】
本発明は、例えば、記録媒体である光ディスク（光磁気ディスクを含む）等から記録情報を再生する、及び／又は、光ディスクへ情報を記録するディスク装置に関するもので、より詳細には、電源として電池を備えた携帯型のディスク装置に関するものである。
【０００２】
従来、携帯機器は一般的に電力源として、一次電池や二次電池等の電池を用いているので、電池から供給される限られた電力で如何に長い時間の連続動作を可能とするかが開発の重要なポイントとなる。このため、機器の省電力化対策が種々考えられており、例えば、使用部品の低電圧化、電源回路の高効率化、圧縮信号の特性を利用した間欠動作による不要電力削減、電池電圧のダイレクトモータ印加による電力効率化等がすでに実施されている。
【０００３】
圧縮信号の特性を利用した間欠動作による対策では、ディスク回転用のスピンドルモータを通常回転速度より高速に回転させ、読み込み時間と休止期間の比率を大きくすることにより機器における平均の消費電力の削減を図るようになっている。また、電池電圧のダイレクトモータ印加による対策では、電池電圧をダイレクトにモータへ印加することにより、電源効率の低下を防ぐようになっている。
【０００４】
例えば、特許文献１には、圧縮信号の特性を利用した間欠動作による対策と、電池電圧のダイレクトモータ印加による対策とを行うディスク再生装置が記載されている。また、該ディスク再生装置では、使用中の異常終了の回避や、電池の残量状況のユーザへの報知を目的として、動作時の電池電圧を常時監視しており、機器の終始電圧管理や電池マーク表示等も実施している。電池電圧の監視において、電池電圧の確認は、機器の動作を保証するために、サーボ動作時に行われるのが一般的である。
【０００５】
しかしながら、前記したディスク回転数を上げて読み込み時間と休止期間の比率を大きくして省電力化を図る対策は、ディスクを高速回転させるため、高速回転させている期間の消費電力自体は増加する。そのため、電池電圧が低下した時は逆に省電力効果に悪影響を及ぼすこととなる。また、電池電圧をダイレクトにモータへ印加している場合は、電池電圧低下の影響がより早く現れ、モータが安定に回らないといった自体が発生し易くなる。
【０００６】
そこで、上記特許文献１のディスク再生装置では、電池電圧がある一定値を下回ると、前記ディスク回転数の高速化を停止して通常回転速度に戻し、より低電圧まで使用できるようにしている。
【特許文献１】特開平１１−１４９７１６号公報（平成１１年６月２日公開）
【発明の開示】
【発明が解決しようとする課題】
【０００７】
しかしながら、前記した従来のディスク再生装置の場合、ディスク回転数の高速化を停止して通常回転速度に戻してより低電圧まで使用可能にしたとしても、モータが安定に回らない領域にまで電池電圧が低下すると、電池から取り出せる電力は改善されず、やはり動作できなくなる。特に電池の内部抵抗が大きい１次電池を使用したり、起動電圧が高いモータを使用したり、或いは消費電力が大きい機器などで起こり易い。
【０００８】
本発明は、上記課題に鑑み成されたもので、電池電圧がたとえモータが安定に回らない状態にまで低下したとしても、モータを安定に回転させてさらに長く動作させることが可能なディスク装置を提供することを目的としている。
【課題を解決するための手段】
【０００９】
本発明のディスク装置は、上記課題を解決するために、ディスクをモータにて回転させて該ディスクに記録された圧縮データを再生し、再生された圧縮データをメモリに間欠的に書き込みながら、該メモリより書き込んだ圧縮データを読み出し、読み出した圧縮データを伸張した後に出力し、かつ、停止手段にて上記メモリへの間欠的な書き込みの中断期間に少なくとも上記モータの回転が停止されるディスク装置において、上記モータを駆動するための電力源である電池からの出力電圧が所定値以下であるとき、上記電池からの出力電圧を昇圧させる電圧昇圧手段を備えることを特徴としている。
【００１０】
これによれば、電圧昇圧手段が、ディスクを回転させるモータを駆動するための電力源である電池からの出力電圧が所定値以下になると、例えば電圧昇圧回路等を経由させることで、電池からの出力電圧を昇圧させるようになっている。
【００１１】
したがって、電池電圧がたとえモータが安定に回らない状態にまで低下したとしても、モータを安定に回転させてさらに長く機器を動作させることができ、従来のシステムより省電力化が可能となる。
【００１２】
本発明のディスク装置は、上記課題を解決するために、ディスクをモータにて回転させて該ディスクに記録された圧縮データを再生し、再生された圧縮データをメモリに間欠的に書き込みながら、該メモリより書き込んだ圧縮データを読み出し、読み出した圧縮データを伸張した後に出力し、かつ、停止手段にて上記メモリへの間欠的な書き込みの中断期間に少なくとも上記モータの回転が停止されるディスク装置において、上記ディスクに記録された圧縮データを再生するにあたり、上記モータを通常よりも高速に回転させる高速回転モードを有すると共に、上記モータを駆動するための電力源である電池からの出力電圧が所定値以下であるとき、上記電池からの出力電圧を昇圧させる電圧昇圧手段を備え、上記電圧昇圧手段にて出力電圧を昇圧させることにより、上記電池からの出力電圧が所定値以下であっても上記高速回転モードが継続されることを特徴としている。
【００１３】
これによれば、高速回転モードを選択することで、ディスクに記録された圧縮データを再生するにおいて、ディスクを回転させるモータを通常よりも高速に回転されるようになり、ディスクが停止されるディスクからの読み出しの中断期間が長くなるので、機器の平均の消費電力を削減することができる。
【００１４】
しかも、電圧昇圧手段が、ディスクを回転させるモータを駆動するための電力源である電池からの出力電圧が所定値以下になると、例えば電圧昇圧回路等を経由させることで、電池からの出力電圧を昇圧させるようになっているので、電池電圧がたとえモータが安定に回らない状態にまで低下したとしても、モータの回転を安定可能として高速回転モードを継続させてさらに長く機器を動作させることができ、従来のシステムより省電力化が可能となる。
【００１５】
本発明のディスク装置は、上記課題を解決するために、外部から入力される信号を一度メモリに連続的に書き込み、その後そのデータを圧縮処理し圧縮データとしてメモリに書き込みながら、該メモリより書き込んだ圧縮データを間欠的に読み出し、ディスクをモータにて回転させて該ディスクに記録するディスク装置において、上記ディスクへの間欠的な記録の中断期間に、少なくとも上記モータの回転を停止させる停止手段と、上記モータを駆動するための電力源である電池からの出力電圧が所定値以下であるとき、上記電池からの出力電圧を昇圧させる電圧昇圧手段を備えることを特徴としている。
【００１６】
これによれば、電圧昇圧手段が、ディスクを回転させるモータを駆動するための電力源である電池からの出力電圧が所定値以下になると、例えば電圧昇圧回路等を経由させることで、電池からの出力電圧を昇圧させるようになっている。
【００１７】
したがって、電池電圧がたとえモータが安定に回らない状態にまで低下したとしても、モータを安定に回転させてさらに長く機器を動作させることができ、従来のシステムより省電力化が可能となる。
【００１８】
本発明のディスク装置は、上記課題を解決するために、外部から入力される信号を一度メモリに連続的に書き込み、その後そのデータを圧縮処理し圧縮データとしてメモリに書き込みながら、該メモリより書き込んだ圧縮データを間欠的に読み出し、ディスクをモータにて回転させて該ディスクに記録するディスク装置において、上記ディスクに記録された圧縮データを再生するにあたり、上記モータを通常よりも高速に回転させる高速回転モードを有すると共に、上記モータを駆動するための電力源である電池からの出力電圧が所定値以下であるとき、上記電池からの出力電圧を昇圧させる電圧昇圧手段を備え、上記電圧昇圧手段にて出力電圧を昇圧させることにより、上記電池からの出力電圧が所定値以下であっても上記高速回転モードが継続されることを特徴としている。
【００１９】
これによれば、高速回転モードを選択することで、ディスクに記録された圧縮データを再生するにおいて、ディスクを回転させるモータを通常よりも高速に回転されるようになり、ディスクが停止されるディスクからの読み出しの中断期間が長くなるので、機器の平均の消費電力を削減することができる。
【００２０】
しかも、電圧昇圧手段が、ディスクを回転させるモータを駆動するための電力源である電池からの出力電圧が所定値以下になると、例えば電圧昇圧回路等を経由させることで、電池からの出力電圧を昇圧させるようになっているので、電池電圧がたとえモータが安定に回らない状態にまで低下したとしても、モータの回転を安定可能として高速回転モードを継続させてさらに長く機器を動作させることができ、従来のシステムより省電力化が可能となる。
【発明の効果】
【００２１】
本発明のディスク装置は、以上のように、ディスクを回転させるモータを駆動するための電力源である電池からの出力電圧が所定値以下であるとき、上記電池からの出力電圧を昇圧させる電圧昇圧手段を備える構成であるので、電池電圧がたとえモータが安定に回らない状態にまで低下したとしても、モータを安定に回転させてさらに長く機器を動作させることができ、従来のシステムより省電力化が可能となるという効果を奏する。
【発明を実施するための最良の形態】
【００２２】
本発明の実施の一形態について図１ないし図５に基づいて説明すれば、以下のとおりである。
【００２３】
まず、本発明に係る実施の一形態であるディスク再生装置の構成を、図１を用いて説明する。図１は、上記ディスク再生装置に搭載された再生回路のブロック図である。
【００２４】
本ディスク再生装置は、情報が記録されている記録媒体であるディスク１から、該ディスク１に記録されている音声信号（デジタル信号）を再生するように構成されている。
【００２５】
図１に示すように、再生回路は、第１再生部３０と、第２再生部３１と、電圧昇圧部（電圧昇圧手段）３３と、電源部８とを備えている。
【００２６】
第１再生部３０は、ディスク１に圧縮記録された情報（圧縮データ、ＰＣＭ信号）をディスク１から読み出すものであり、詳細には、光ピックアップ２と、ＲＦ部３と、信号処理部４と、スピンドルモータ５と、ピック／モータドライブ回路部６と、システムコントロール回路部７とを備えている。
【００２７】
第１再生部３０では、ディスク１をスピンドルモータ５にて所定の回転数で回転させ、ディスク１に圧縮記録された情報を、光ピックアップ２を使いＲＦ部３を通して信号処理部４に読み出す。システムコントロール回路部７は、信号処理部４に読み出された圧縮データに基づいて、信号処理部４とピック／モータドライブ回路部６とにコントロール信号を出してサーボコントロールする。ピック／モータドライブ回路部６は、上記コントロール信号に基づいて、光ピックアップ２及びスピンドルモータ５を駆動するものである。
【００２８】
第２再生部３１は、第１再生部３０にて再生された圧縮データをＲＡＭ（メモリ）１３に一旦格納し、ＲＡＭ１３から読み出した圧縮データ（メモリ信号）を伸張して音声信号に変換するものであり、詳細には、伸長部１１と、ＲＡＭ１３と、音声再生部１４と、外部出力部１６とを備えている。
【００２９】
第２再生部３１では、上記信号処理部４に読み出した圧縮データをＲＡＭ１３に一旦格納し、格納したものを再度読み出してデータ伸長する。そして伸長したデータにて音声再生部１４が音声を再生し、外部出力部１６から再生音として出力される。
【００３０】
ここで、上記第１再生部３０で再生された圧縮データは、第２再生部３１においてＲＡＭ１３に間欠的に書き込まれながら、ＲＡＭ１３より書き込んだ圧縮データを書き込み速度より遅い速度で読み出し、読み出した圧縮データを伸張した後に出力する。
【００３１】
そして、上記システムコントロール回路部７は、圧縮記録されている情報を伸長再生する際に生じる時間差を利用して、上記ＲＡＭ１３への間欠的な書き込みの中断期間（サーボＯＦＦ期間）に、少なくともスピンドルモータ５の回転を停止させる（停止手段）。本装置では、光ピックアップ２、ＲＦ部３、スピンドルモータ５、及びピック／モータドライブ回路部６と、信号処理部４の一部とが停止される。
【００３２】
電源部８には、電源として電池３２が搭載されるようになっている。電池３２としては充電不可の一次電池や、充電可能な二次電池等がある。電源部８からの電力は、図示しない各供給線を介して各構成部へと供給される。そして、上述したように、電源効率の低下を防ぐために、電池３２の電圧をダイレクトにピック／モータドライブ回路部６へ印加するようになっている。
【００３３】
電圧昇圧部３３は、電源部８における電池３２の出力電圧（電池電圧）が所定値以下になると、電池３２からピック／モータドライブ回路部６へとダイレクトに接続されていた電力供給経路を、電圧昇圧回路９を経由するように切り替えるものである。電圧昇圧部３３は、システムコントロール回路部７と、切替スイッチ１０と、電圧昇圧回路９と、分圧抵抗Ｒ１・Ｒ２とから構成されている。
【００３４】
電圧昇圧回路９は、電源部８から供給される電池電圧を昇圧するもので、電源部８からピック／モータドライブ回路部６への供給電力経路が、切替スイッチ（ＳＷ）１０の切替状態によって、ダイレクトに行う経路か、電圧昇圧回路９を経由して行う経路かの何れかとなる。このような電源部８からピック／モータドライブ回路部６への電力供給経路の切り替えは、システムコントロール回路部７にて後述のように制御される。
【００３５】
システムコントロール回路部７へは、ピック／モータドライブ回路部６へと供給される電池電圧が、抵抗Ｒ１と抵抗Ｒ２とで分圧されて供給されるようになっており、該分圧電圧を基にシステムコントロール回路部７は、電源部８における電池電圧を検出することができる。
【００３６】
また、システムコントロール回路部７は、上記した電力供給経路の切り替え制御のほか、電源効率の低下を防ぐために、圧縮信号の特性を利用した間欠動作による対策、つまり、ディスク１を通常回転速度よりも高速に回転させ、読み込み時間と休止期間の比率を大きくすることにより、本装置における平均の消費電力の削減を図るようになっている（高速回転モード）。
【００３７】
以下に、システムコントロール回路部７が、電源部８の電池３２から供給される電力を用いて本装置を長く動作させるために実施する各種制御について説明する。
【００３８】
上述したように、システムコントロール回路部７は、省電力化のために、サーボＯＦＦの期間、第１再生部３０の動作不要部を停止させる。そのため、消費電流と電池電圧（電池からの出力電圧）とは、サーボＯＮ／サーボＯＦＦに応じて周期的に変化する。図２に、定常速回転（通常回転速度）での再生時における、サーボＯＮ（ｔ１時間）／サーボＯＦＦ（ｔ２時間）に応じて消費電流と電池電圧とが周期的に変化する様子を示す。サーボＯＦＦ時の消費電流Ａ１、サーボＯＮ時の消費電流Ａ２である。サーボＯＦＦ時の電池電圧Ｖ１、サーボＯＮ時の電池電圧Ｖ２である。また、図３に、高速回転での再生時における、サーボＯＮ（ｔ３時間）／ＯＦＦ（ｔ４時間）に応じて消費電流と電池電圧とが周期的に変化する様子を示す。サーボＯＦＦ時の消費電流Ａ１、サーボＯＮ時の消費電流Ａ３である。サーボＯＦＦ時の電池電圧Ｖ１、サーボＯＮ時の電池電圧Ｖ３である。
【００３９】
図２、図３に示すように、定常速回転であっても高速回転であっても、サーボＯＮの期間、サーボＯＦＦの期間に比して、消費電力が上昇し、電池電圧は低下する。しかしながら、図２と図３とを比較するとわかるように、高速回転で再生する場合、機器の平均消費電力は確かに下がるが、サーボＯＮ期間の消費電流はＡ３となり、定常速回転での再生時のＡ２よりも大きくなることがわかる。これはつまり、電池電圧が低電圧領域になると、早く機器は動作停止状態となることであり、定常速回転では動作する状態であるのに、高速回転では装置が停止してしまう。
【００４０】
このような不具合を生じさせないため、従来の再生装置では、電池電圧が下がった低電圧領域では、上記した高速回転させることによる電力削減対策は行わず（高速回転モード停止）、定常速回転に切り替えて、より長く動作させるようにしていた。しかしながら、それでも電池電圧がスピンドルモータが安定に回らない低電圧領域となれば、やはり装置は停止してしまう。
【００４１】
これに対し、本ディスク再生装置では、電池電圧が所定電圧値以下となると、システムコントロール回路部７が、スピンドルモータ５の速度自体が高速に維持したままとし、電源部８からピック／モータドライブ回路部６へとダイレクトに接続されていた供給経路を、電圧昇圧回路９を経由する経路へと切り替えるようになっている。これにより、電池からの出力電圧が昇圧され、再びスピンドルモータ５が安定に回転するようになり、高速回転モードは続行したまま、より長く装置を動作させることができる。
【００４２】
図４に、電源部からピック／モータドライブ回路部へと電力供給を常にダイレクトに行う従来構成の装置における、ピック／モータドライブ回路部への印加電圧と、システムコントロール回路部における電池電圧を検出した検出電圧とを示す。
【００４３】
図４に示すように、機器ストップ電圧として定められている終始電圧である電圧Ｖ４が検出されると、システムコントロール回路部は、機器をストップさせる。終始電圧とは、製造メーカが個別にセットした動作終了電圧であり、電池寿命時間として設定する電圧である。
【００４４】
一方、図５に、電源部８からピック／モータドライブ回路部６へと電力供給を、電池３２の出力電圧に応じてダイレクト供給から、電圧昇圧回路９を介した供給へと切り替える、本装置における、ピック／モータドライブ回路部６への印加電圧と、システムコントロール回路部７における電池電圧の検出電圧とを示す。
【００４５】
図５に示すように、従来の装置において機器ストップ電圧として定められていた電圧Ｖ４より高い所定の電圧Ｖ３が検出されると、システムコントロール回路部７が、電源部８からピック／モータドライブ回路部６への電力供給経路を電圧昇圧回路９を経由する側に切り替える。これにより、ピック／モータドライブ回路部６へ供給される電圧は上昇し、スピンドルモータ５は回転し、本装置は動作を続ける。
【００４６】
その後、動作を続けて、電池電圧がさらに低下し、従来の機器ストップ電圧として定められている電圧Ｖ４よりもさらに低い、本装置の機器ストップ電圧である電圧Ｖ５にまで到達すると、システムコントロール回路部７は、機器をストップさせる。ここで、電圧Ｖ５は、電圧昇圧回路９にて昇圧させてもスピンドルモータ５を安定して回転させることができない限界の数値に基づいて設定されている。
【００４７】
以上のように、上記ディスク再生装置では、電圧昇圧部３３を備えており、電池電圧が降下してスピンドルモータ５が安定に回らない状態になったときに、ダイレクトにピック／モータドライブ回路部６に入っていた電源部８の接続先を、電圧昇圧回路９に切り替えて昇圧してからピック／モータドライブ回路部６へと供給することで、電池電圧がたとえそのままではスピンドルモータ５を回転させることができない程度にまで低くなっても装置をさらに長く動作させることができる。
【００４８】
しかも、電圧昇圧回路９にて電池電圧を昇圧させることで、通常よりも高速に回転させているスピンドルモータ５を、定常速回転に落とすことなく高速回転させ続けることができるので、より効果的に省電力化が可能となる。
【００４９】
なお、ここでは、電圧昇圧回路９にて電池電圧を昇圧させてからも、スピンドルモータ５の高速回転を続行する構成としているが、従来の電池電圧が下がった低電圧領域では、上記した高速回転を停止させることによる電力削減対策と組み合わせ、電池電圧が低下した場合、まず、高速回転を停止して定常速回転に切り替えて長く動作させ、電池電圧がさらに低下した場合に、電圧昇圧回路９にて電池電圧を昇圧させるようにしてもよい。また、高速回転による電力削減対策と組み合わせることなく、電圧昇圧回路９による電池電圧の昇圧させることのみにて、定常速回転のみでより長く機器を動作させるようにする構成であってもよい。
【００５０】
さらに、ここではディスク装置として再生回路を備えたディスク再生装置について説明したが、図６に示すような記録回路を備えたディスク記録装置、或いは記録再生回路を備えたディスク記録再生装置に、本発明の電圧昇圧部３３の構成を適用することも可能である。
【００５１】
ここで、図６について簡単に説明する。なお、説明の便宜上、ディスク再生装置の説明で用いたものと同一の機能を有する部材には同じ符号を付して、その説明を省略する。
【００５２】
図６に示すように、記録回路は、第１録音部４０と、第２録音部４１と、電圧昇圧部（電圧昇圧手段）３３と、電源部８とを備えている。
【００５３】
第１録音部４０は、外部入力部１７から入力された音声等の外部入力信号を音声録音部１５に取り込んだ後、一度ＲＡＭ１３に連続的に書き込み、その後そのデータを圧縮処理し圧縮データとしてＲＡＭ１３に格納する。第２録音部４１は、第１録音部４０でＲＡＭ１３に格納された圧縮データを間欠的に読み出し、ディスク１に、光ピックアップ２と記録ヘッド回路部１８とを用いて、該ディスク１をスピンドルモータ５にて所定の回転数で回転させながら記録する。
【００５４】
ここでも、ＲＡＭ１３からの圧縮データの読み出しを間欠的に行われてディスク１へも間欠的に記録されるので、システムコントロール回路部７は、再生回路と同様に、ディスク１への書き込みの中断期間（サーボＯＦＦ期間）に、少なくともスピンドルモータ５の回転を停止させる（停止手段）。具体的には、光ピックアップ２、ＲＦ部３、スピンドルモータ５、ピック／モータドライブ回路部６、及び記録ヘッド回路部１８と、信号処理部４の一部とが停止される。
【００５５】
なお、電圧昇圧部３３を含め、システムコントロール回路部７にて実施される電源部８の電池３２から供給される電力にて本装置を長く動作させるための各種制御については、既に再生回路において説明しているので、これ以上の説明は行わない。但し、記録装置においては、ディスク１のＴＯＣ領域の更新といった動作が必要であるので、機器ストップ電圧である電圧Ｖ５は、ＴＯＣ領域の更新を必要としない再生装置の機器ストップ電圧Ｖ５よりもその分高くなる。
【００５６】
以上、本発明について実施の形態を例示して説明したが、本発明は、以下のように表現することもできる。つまり、ディスクに圧縮記録された情報をスピンドルモータにて所定の回転数で回転させて再生する第１再生手段と、前記第１再生手段にて再生された信号を格納するメモリと前記メモリに格納したメモリ信号を伸張し音声信号に変換する第２再生手段と、前記第１再生手段が非動作時は少なくとも前記第１再生手段のスピンドルモータの回転を停止せしめる停止手段とを備える再生装置であって、さらに電源の１つとして１次電池を電源とする再生装置であって前記モータの所定回転数よりもさらに高速回転せしめ、前記１次電池の電圧が降下しても前記高速回転を可能にするために前記１次電池の昇圧手段を備えることを特徴としている。
【００５７】
また、本発明は、外部入力信号を取り込み音声録音部で取り込んだ後、圧縮した後メモリに格納する第１記録手段（第１録音部）と、前記第１記録手段でメモリに圧縮格納した信号をスピンドルモータにて所定の回転数で回転させて記録する第２記録手段（第２録音部）と、前記第２記録手段が非動作時は少なくとも前記第２記録手段のスピンドルモータの回転を停止せしめる停止手段とを備える記録装置であって、さらに電源の１つとして１次電池を電源とし前記モータの所定回転数よりもさらに高速回転せしめ、前記１次電池の電圧が降下しても前記高速回転に対応するために前記１次電池の昇圧手段を備えることを特徴としている。
【００５８】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５９】
再生専用のＣＤ（コンパクトディスク）や記録再生可能なＭＤ（ミニディスク）等の光ディスク（光磁気ディスクを含む）に対して、情報の記録／再生を行う、携帯型のディスク装置に適用できる。
【図面の簡単な説明】
【００６０】
【図１】本発明に係る実施の一形態を示すもので、ディスク再生装置における再生回路のブロック図である。
【図２】定常速回転（通常回転速度）での再生時における、サーボＯＮ／サーボＯＦＦに応じて消費電流と電池電圧とが周期的に変化する様子を示す説明図である。
【図３】高速回転での再生時における、サーボＯＮ／サーボＯＦＦに応じて消費電流と電池電圧とが周期的に変化する様子を示す説明図である。
【図４】電池出力をダイレクトに供給してスピンドルモータを回転させていた従来構成の装置における、ピック／モータドライブ回路部への印加電圧とシステムコントロール回路部の検出電圧とを示す説明図である。
【図５】電圧昇圧部を追加した上記ディスク再生装置における、ピック／モータドライブ回路部への印加電圧とシステムコントロール回路部の検出電圧とを示す説明図である。
【図６】本発明に係る実施の他の形態を示すもので、ディスク記録装置における記録回路のブロック図である。
【符号の説明】
【００６１】
１    ディスク
５    スピンドルモータ（モータ）
６    ピック／モータドライブ回路部
７    システムコントロール回路部（停止手段、電圧昇圧手段）
８    電源部
９    電圧昇圧回路（電圧昇圧手段）
１０    切替スイッチ（電圧昇圧手段）
１３    ＲＡＭ（メモリ）
３２  電池
【図１】
2006172576.tif 000003
【図２】
2006172576.tif 000004
【図３】
2006172576.tif 000005
【図４】
2006172576.tif 000006
【図５】
2006172576.tif 000007
【図６】
2006172576.tif 000008